(57)【要約】【課題】  新たな未開封状態の明示の機能を備えた包装容器を提供する。【解決手段】  包装容器として紙製包装容器１は、外箱２０と、前記外箱の内部に前記外箱と摺動可能な構造として配置される中箱１０とを有している。外箱２０の右端縁には、中箱１０を取り出すことが可能な取り出し口が設けられる。外箱２０について、前記取り出し口を構成する面である底面板２１の端が上面板２３の端よりも延長してなる右端板２６が形成され、右端板２６が中箱１０の右側面１６と接着される。【選択図】  図７
2007045448.tif 000002
【特許請求の範囲】
【請求項１】
外箱と、前記外箱の内部に前記外箱と摺動可能な構造として配置される中箱とを有する包装容器であって、
前記外箱には、前記中箱を取り出すことが可能な取り出し口が設けられ、
前記外箱について、前記取り出し口を構成する面のうち少なくとも一面の一端が前記中箱の一面と接着される包装容器。
【請求項２】
請求項１に記載の包装容器であって、
前記一端は、前記取り出し口の他の端よりも延長して形成されてなる包装容器。
【請求項３】
請求項１または２に記載の包装容器であって、
前記一端が前記中箱の一面から一旦切り離された後、前記中箱の一面と再接着しないように形成される包装容器。
【請求項４】
請求項１から３のいずれか１つに記載の包装容器であって、
前記中箱の一面は、中箱の側面のうち少なくとも一面である包装容器。
【発明の詳細な説明】
【技術分野】
【０００１】
本発明は、包装容器、特に外箱と前記外箱の内部に前記外箱と摺動可能な構造として配置される中箱とを有する包装容器に関する。
【背景技術】
【０００２】
菓子などの内容物がその内部に包含される包装容器が知られている。例えば包装容器としては紙製包装容器には、下記特許文献１、下記特許文献２、下記特許文献３などに示されるように様々なものがあるが、外箱と、この外箱の内部にこの外箱から摺動可能な構造として配置される中箱と、を有する紙製中箱付き包装容器が下記特許文献４に報告されている。
【０００３】
菓子などの内容物は、前記中箱に入れられる。消費者が内容物を取り出したくなった場合には、前記外箱の取り出し口から中箱を取り出し口方向に摺動させて取り出すことで、消費者は中箱に入れられた菓子などの内容物を取り出すことができる。
【０００４】
このような紙製中箱付き包装容器は、製造現場で外箱表面を薄いプラスチックフィルムで包含されて消費者に届けられるのが一般的である。薄いプラスチックフィルムで包含されるのは、内容物が取り出されていないなどの未開封状態を明示する理由などからである。
【特許文献１】特開２００１−２０５６号公報
【特許文献２】特開２０００−２７２６１８号公報
【特許文献３】特開２００３−１７０９２９号公報
【特許文献４】特開２００４−２３１２９２号公報
【発明の開示】
【発明が解決しようとする課題】
【０００５】
しかしながら、薄いプラスチックフィルムは、消費者が内容物を取り出す際にその一部を破り、包含された外箱を取り出した後は、消費者にとって不要なものとなる場合が多い。また、紙に比べ、薄いプラスチックフィルムは廃棄処理などについて、環境面等の影響により面倒である場合が多い。
【０００６】
本発明は、上記課題に鑑みてなされたものであり、新たな未開封状態の明示の機能を備えた包装容器を提供することを主な目的とする。
【課題を解決するための手段】
【０００７】
本発明は、外箱と、前記外箱の内部に前記外箱と摺動可能な構造として配置される中箱とを有する包装容器であって、前記外箱には、前記中箱を取り出すことが可能な取り出し口が設けられ、前記外箱について、前記取り出し口を構成する面のうち少なくとも一面の一端が前記中箱の一面と接着されることを特徴とする。
【０００８】
前記一端は、前記取り出し口の他の端よりも延長して形成されてなると好適である。
【０００９】
前記一端が前記中箱の一面から一旦切り離された後、前記中箱の一面と再接着しないように形成されると好適である。
【００１０】
前記中箱の一面は、中箱の側面のうち少なくとも一面であると好適である。
【発明の効果】
【００１１】
本発明によれば、新たな未開封状態の明示の機能を備えた包装容器を提供できる。
【発明を実施するための最良の形態】
【００１２】
以下、本発明の実施の形態を図面に基づいて説明する。なお、本実施形態については、本発明を実施するための一形態に過ぎず、本発明は本実施形態によって限定されるものではない。
【００１３】
「紙製包装容器」
図１には、本実施形態に係る包装容器として、紙製包装容器１の一実施形態が示されている。紙製包装容器１は、外箱２０と外箱２０内周部に挿入された菓子などの内容物を収容する容器としての中箱１０とから構成されている。
【００１４】
紙製包装容器１は、略直方体形状である。紙製包装容器１は六面のうち五面を外箱２０が構成し、残りの一側面を中箱１０の左側面板１４が構成している。五面は、主として、外箱２０の底面板２１、側面板２２、上面板２３、側面板２４、右端板２６をそれぞれ一面として構成されている。
【００１５】
これらは図２および図３に示される展開図の状態で、外箱２０の内寸および中箱１０の外寸は、外箱２０に対して未開封状態を解除されたときに、中箱１０を円滑に摺動することができるように、対応して設定されている。
【００１６】
後述により中箱１０の右側面板１６および連設面である側面板１１および側面板１３の連設部近傍と、外箱２０のおよび右端板２６とは、接着剤で接着され、固定されることでその未開封状態が明示されている。接着剤は糊代２７、右端板２６の接着部５０ａ、５０ｂに塗布されることが好適である。または、右端板２６の接着部５０ａ、５０ｂの接着部以外に剥離剤を塗布しておくと、側面一面に接着剤を塗布することも挙げられる。接着手段は上記方法に限定されるものではなく、箱の形態等に応じて適宜選択すればよい。
【００１７】
なお、本明細書における未開封状態とは、中箱が動かされてその内容物の菓子が取り出されていないことおよび内容物が取り出されていなくとも中箱が動かされていないことの両方の概念を含むものである。
【００１８】
接着剤としては、例えば酢酸ビニル樹脂、塩化ビニル-酢酸ビニル共重合体、エチレン-酢酸ビニル共重合体、アクリル系樹脂などのエマルジョン型の接着剤あるいはエチレン-酢酸ビニル共重合体、ナイロン系樹脂、アクリル系樹脂などのホットメルト型の接着剤を使用することができる。
【００１９】
「中箱」
中箱１０は、コートボール、チップボール、段ボールなどの紙を図２に示す展開図にしたがって打ち抜き、図２の展開図の打ち抜き紙を折り目に沿って折り込み、所定部分を接着して組み立てられる。本実施形態において、以下述べる、折り目は罫線、ミシン目または半切れなどで構成されている。
【００２０】
図２の展開図について説明する（以下、展開図において、紙面に開示されている方向を紙面側、その裏面を反対面側とする。）。
【００２１】
側面板１１の下端縁に底面板１２および側面板１３が折り目ａ，ｂを介して順に連設される。
【００２２】
底面板１２の右端縁に右側面板１６、空間上面板１７、空間側面板１８および糊代１５が折り目ｅ，ｆ，ｇ，ｈを介して順に連設される。
【００２３】
底面板１２の左端縁に左側面板１４、空間上面板１７、空間側面板１８および糊代１５が折り目ｃ，ｆ，ｇ，ｈを介して順に連設される。
【００２４】
右側面板１６および左側面板１４の上端縁および下端縁には折り目ｉを介して糊代１９がそれぞれ連設されている。
【００２５】
図２の展開図からのトレー形状の図４に記載される中箱１０の組み立て方法は一般的な組み立て方法を適宜選択すればよい。
【００２６】
図４では、主として中箱１０は、側面板１１、底面板１２、側面板１３、空間側面板１８によって形成される内部空間を有している。この内部空間は上方を開口されており、その上方開口を通して菓子２９を複数個、内部空間に収容する。なお、本願図面では模式的に菓子２９を一つ入れた状態で示しているが、複数個の菓子２９が充填されている。
【００２７】
菓子２９は、スティック形状やブロック形状等のチョコレートやビスケット、一口サイズのガム等の菓子類などが挙げられる。中箱１０は、菓子以外にも特に限定されることなく、収容物を収容する容器として使用でき、例えば化粧品、トイレタリーなどの日常品などの収容に用いると好適である。
【００２８】
一方、側面板１１、底面板１２、側面板１３、右側面板１６（または左側面板１４）、空間上面板１７、空間側面板１８に囲まれる右端部と左端部の内部空間３１、３２は、特段設けなくてもよいが、設けた場合には、様々な用途に用いることができる。
【００２９】
「外箱」
外箱２０は、コートボール、チップボール、段ボールなどの紙を図３に示す展開図にしたがって打ち抜き、図３の展開図の打ち抜き紙を折り目に沿って折り込み、所定部分を接着して組み立てられる。
【００３０】
図３の展開図を説明する。底面板２１の上端縁に、側面板２２、上面板２３、側面板２４、糊代２５が順に折り目ｐ，ｑ，ｒ，ｓを介して連設されて構成されている。底面板２１の右端縁には、右端板２６が折り目ｌを介して連設されている。なお、本実施形態においては、折り目ｌはジッパー構造、ミシン目、半切れなどで構成されている。
【００３１】
右端板２６には、その上端縁および下端縁に糊代２７が折り目ｍを介して連設されている。糊代２７は略半円状の形状を有している。
【００３２】
右端板２６には、接着部５０ａ、５０ｂが構成されている。接着部５０ａ、５０ｂはその周囲がそれぞれ切り目ｎで囲まれてなる領域である。後述のように接着部５０ａ、５０ｂは右端板２６が切り離された際に切り目を境界として右端板２６から切り取られ、中箱の側面板１６に接着された状態となる。このことを目視することで開封されたか未開封であるかをより明瞭に判別することができるようになる。したがって、接着部５０ａ、５０ｂを設けると好適である。
【００３３】
側面板２２および側面板２４は、それぞれ右端縁に略半円状の切り目ｄが形成されている。側面板２２および側面板２４であって、切り目ｄを境界としてそれよりも右端縁は、接着部５０ｃ、５０ｄとなるように形成されている。接着部５０ｃ、５０ｄは糊代２７よりも小さな面積の略半円状に形成されている。
【００３４】
上面板２３の右端縁には、略半楕円状の切り欠き部３３が設けられている。切り欠き部３３は、中箱１０が組み立てられた外箱２０の内部に挿入され紙製包装容器１が製造された時に、中箱１０の右端縁の空間上面板１７を露出させる。
【００３５】
図３の展開図からの左右両端が開口された略四角筒形状であって、貫通形状の図４に示される外箱２０の組み立て方法は一般的な組み立て方法を適宜選択すればよい。
【００３６】
ここで、外箱２０の右端縁の開口部が取り出し口となり、この取り出し口を構成するのが底面板２１、側面板２２、上面板２３、側面板２４の右端縁である。本実施形態では貫通形状としているが左端縁に側面板を設けた容器状の構造としてもよい。
【００３７】
「紙製包装容器の製造方法」
図４に示されるように、上記のように組み立てられた外箱２０に、上記のように組み立てられた中箱１０を挿入する。挿入後、外箱２０について、右端板２６の接着部５０ａ、５０ｂ、糊代２７に接着剤を塗布する。
【００３８】
接着剤を塗布後、接着部５０ａ、５０ｂを中箱１０の右側面板１６と接着する。
【００３９】
また糊代２７を右側面板１６の連設面である側面板１１および側面板１３のこの連設部近傍とを接着する。
【００４０】
接着部５０ａ、５０ｂ、糊代２７に接着剤を塗布した後、右端板２６を折り目ｌにしたがって谷折りする。そして、右端板２６の接着部５０ａ、５０ｂに塗布された接着剤により、右端板２６が中箱１０の右側面板１６と接着され、図５の右端板２６の起立状態が維持される。
【００４１】
図５において、上記右端板２６の接着・起立状態後、糊代２７を折り目ｍにしたがって谷折りする。折り目ｍにしたがって谷折りされた糊代２７に塗布された接着剤により、糊代２７が中箱１０の側面板１１および側面板１３のそれぞれ接着部５０ｃ、５０ｄと接着し、紙製包装容器１が最終的に製造される。
【００４２】
なお、糊代２７は使用時に紙製包装容器１を開封するタブとなるため、本実施形態のように「ＯＰＥＮ」などと表示して消費者に開封タブであることを明示すると好適である。
【００４３】
「紙製包装容器の使用方法」
図１の状態の紙製包装容器１は、製造時から消費者が菓子を食したい時まで、右端板２６および糊代２７が切り離されることなく、小売店に供給され、購入した消費者に届けられる。
【００４４】
図６には、図１の状態の紙製包装容器１をＸ方向から見た斜視図が示される。内容物の菓子２９を取り出して食することを目的に、消費者が菓子などを食する場合は、まず開封タブとなる糊代２７を切り離す。
【００４５】
図７に示されるように、糊代２７を切り離すと、接着部５０ｃ、５０ｄが糊代２７に接着状態を保ったまま、外箱２０本体から切り目ｄを境界として切り離される。また、右端板２６は、右側面板１６表面から切り離され、さらに、折り目ｌを境界として外箱２０本体から切り離される。一方で、接着部５０ａ、５０ｂは切り目ｎを境界として右端板２６から切り取られ、中箱１０の右側面板１６表面に接着した状態を保たれることになる。
【００４６】
そして、図８に示されるように糊代２７、右端板２６が外箱２０から切り離されて、中箱１０が外箱２０の内周面に対して摺動可能となる。
【００４７】
摺動可能状態となった後、消費者は紙製包装容器１の取り出し口から中箱１０を引き出すことができる。引き出された中箱１０の菓子２９を取り出した後は、中箱１０を再び外箱２０内に挿入することで紙製包装容器１をコンパクトにすることができる。
【００４８】
本実施形態の紙製包装容器１は、薄いプラスチックフィルムなどで包装することなく、その中箱を動かして、菓子２９を取り出したか否かについて判断することができるので、薄いプラスチックフィルムなど他の包装を必要としない包装容器を提供できる。
【００４９】
すなわち、紙製包装容器１の製造時から消費者が菓子を食したい時までに、一度開封されているのであれば、糊代２７、右端板２６の接着部５０ａ，５０ｂを除く部分が切り離されなければならない。一度切り離されて、再接着性がないことなどによって切り離された状態を維持することとなり、製造時から消費時までに未開封状態であるか否かについて判断することができる。
【００５０】
また、一方で、糊代２７が切り離されることにより、図８に示されるように接着部５０ｃ、５０ｄは、糊代２７に接着した状態を保ち、外箱２０の側面板２２、２４から切り離される。これにより、中箱１０の側面板１１、１３が露出し、製造時から消費時までに未開封状態であるかについてより明確に判断することができる。
【００５１】
また、右端板２６が切り離されることにより、図８に示されるように接着部５０ａ、５０ｂは、中箱１０の右側面板１６表面に接着した状態を保ち、右端板２６から切り目ｎを境界として切り取られる。これにより、中箱１０の右側面板１６の表面に接着部５０ａ、５０ｂが残留し、製造時から消費時までに未開封状態であるか否かについてより明確に判断することができる。
【００５２】
このようにするには、糊代２７、接着部５０ａ、５０ｂの接着力を右端板２６の接着部５０ａ、５０ｂ以外の部分の接着力よりも強固にし、それぞれ、接着部５０ａおよび５０ｂ、接着部５０ｃおよび５０ｄが切り目ｎ、ｄを介して切り離される際の剥離力に対抗できる接着力を有していればよい。
【００５３】
接着剤としては、一般的な接着剤を用いることができる。例えば、アクリル系接着剤、ゴム系接着剤、シリコーン系、ウレタン系接着剤等の接着剤などが挙げられる。さらには、再接着しない剥離性を持つ接着剤を用いることもできる。
【００５４】
また、上記は必要に応じて顔料の分散剤、顔料の接着剤、消泡剤、ｐＨ調整剤、接着剤の架橋剤、老化防止剤、防腐剤等を使用してもよい。
【００５５】
なお、本実施形態において、薄いプラスチックフィルムは不要であるとしているが、これは紙製包装容器１表面に薄いプラスチックフィルムを覆うことを妨げるものではない。例えば、より未開封状態を確保する理由などでは、紙製包装容器１表面に薄いプラスチックフィルムなどで包装してもよい。
【００５６】
本実施形態では外箱２０により、中箱１０が接着されることで未開封状態を明示しているが、が、外箱２０によって中箱１０が接着されるのであれば他の変形例を妨げない。以下、変形例の一例について説明する。
【００５７】
上記、実施形態では取り出し口を構成するのが底面板２１、側面板２２、上面板２３、側面板２４の右端縁であって、底面板２１が向かい合う他面たる上面板２３の端よりも延長され、右端板２６を形成している。これに代えて、側面板２２、上面板２３、側面板２４が延長して未開封状態状態表示板を形成し、形成された未開封状態状態表示板が中箱１０に接着されることで未開封状態を明示してもよい。
【００５８】
また、底面板２１、側面板２２、上面板２３、側面板２４のうち一面を延長させて未開封状態状態表示板とすることを要求するものではなく、複数の組み合わせ、２面、３面、４面全面を未開封状態状態表示板とし、未開封状態状態表示板とされた部分が中箱１０に接着されることで未開封状態を明示してもよい。
【００５９】
上記、実施形態では取り出し口を構成するのが底面板２１、側面板２２、上面板２３、側面板２４の右端縁であるが、左端縁を取り出し口として底面板２１、側面板２２、上面板２３、側面板２４のうち少なくとも１面を延長して未開封状態状態表示板として形成し、右端板２６が中箱１０に接着されることのみで未開封状態を明示してもよい。
【００６０】
なお、本実施形態では接着部５０ｃおよび５０ｄ、糊代２７は設けると好適であるが設けてなくとも右端板２６の接着度であっても未開封状態を判定できるので設けることは必須ではない。例えば、片側のみ糊代２７を省略してもよく、さらには両側の糊代２７を省略し、さらには右端板２６のみの構成として、右端板２６が中箱１０に接着されることのみで未開封状態を明示してもよい。さらに側面からではなく上側からや下側から接着されてもよい。
【００６１】
また、本実施形態では糊代２７が右端板２６と連設されているがこれと限られることがなく独立して配置されていてもよい。また、連設される場合には、連設態様に応じて、折り目を介して中箱や外箱に接着されればよい。
【００６２】
また、取り出し口は、右端縁、左端縁に限られることはない。例えば、外箱２０上面板２３、底面板２１、側面板２２、側面板２４などの位置に設けることもできる。この場合、取り出し口を構成する少なくとも一端を延長して未開封状態状態表示板として形成し、未開封状態表示板が中箱１０に接着されることのみで未開封状態を明示することができる。
【００６３】
本実施形態では未開封状態状態表示板は取り出し口全面を覆っているがこれに限られない。例えば、未開封状態状態表示板が取り出し口全面を覆うほどの大きさを有さず、中箱の面の一部分が見えている構成であってもよい。
【００６４】
本実施形態では、紙製包装容器は、中箱１０の左側面板１４が左側面を、右端板２６が右側面を形成した直方体形状となっているが、これに限られるものではない。立方体形状は勿論、他の三次元立体、例えば、三角柱状形状、八面体など多面体、底面板および上面板が矩形、台形、四角形、五角形、六角形、八角形、十角形の紙製包装容器にも適用できる。
【００６５】
本実施形態では、紙製包装容器を例示したが紙製に限定されるものではない。紙を用いる場合は、例えば、コートボール紙、カートン紙、カップ原紙、ダンボール紙、板紙等（再生紙を含む）、カード紙等の通常の紙器加工に用いられる材料を使用できる。紙の厚さは、特に限定されないが、強度の高い紙を用いることが好ましい。また、プラスチック材、木材、などの異なる材料から包装容器が作製されてもよい。
【００６６】
プラスチック材であれば、熱可塑性樹脂、熱硬化性樹脂、生分解性プラスチック一般（ポリ乳酸含有プラスチック等）、ポリエステル、ポリプロピレン、セロファン、ポリカーボネート、酢酸セルロース、ポリエチレン、ポリ塩化ビニル、ポリスチレン、ポリアミド、ポリイミド、ポリ塩化ビニリデン、ポリビニルアルコール、エチレン・酢酸ビニル共重合体けん化物、フッ素樹脂、塩化ゴム、アイオノマー、エチレン・アクリル酸共重合体、エチレン・アクリル酸エステル共重合体、等のプラスチックのフィルム、コンデンサー紙、パラフィン紙、不織布、アルミニウム箔や、これらを複合したフィルムを用いてもよい。
【図面の簡単な説明】
【００６７】
【図１】本実施形態における包装容器を示す斜視図である。
【図２】本実施形態における中箱の展開図である。
【図３】本実施形態における外箱の展開図である。
【図４】本実施形態における包装容器の製造方法を説明する斜視図である。
【図５】本実施形態における包装容器の製造方法を説明する斜視図である。
【図６】本実施形態における包装容器の使用方法を説明する斜視図である。
【図７】本実施形態における包装容器の使用方法を説明する斜視図である。
【図８】本実施形態における包装容器の使用方法を説明する斜視図である。
【符号の説明】
【００６８】
１  紙製包装容器
１０  中箱
２０  外箱
【図１】
2007045448.tif 000003
【図２】
2007045448.tif 000004
【図３】
2007045448.tif 000005
【図４】
2007045448.tif 000006
【図５】
2007045448.tif 000007
【図６】
2007045448.tif 000008
【図７】
2007045448.tif 000009
【図８】
2007045448.tif 000010